(57)【要約】      （修正有） 【課題】氷水によって冷やされた米飯を食する為の食器を提供する。【解決手段】氷水を収納する長方形の容器と、容器の蓋部であり、長辺方向面上の一方向に偏った位置にメッシュ状内椀挿入用開口と他方に氷水投入口を設け、蓋部に取付ける為の鍔を備えた半円状のお椀形底部を有するメッシュ状内椀を、蓋部のメッシュ状内椀挿入用開口に挿入し、メッシュ状内椀を蓋部に固着した事を特徴とする。【選択図】図１
0003154795.tif 000002
【実用新案登録請求の範囲】
【請求項１】
氷水を収納する長方体の容器と、この容器の蓋部であり長辺方向面上の一方向に偏った位置にメッシュ状内椀挿入用開口と、更に、他の方向には氷水投入口を設け、蓋部に取付ける為の鍔を備えた半円形状のお椀形底部を有するメッシュ状内椀を、前記、蓋部のメッシュ状内椀挿入用開口に挿入し、メッシュ状内椀を蓋部に固着した事を特徴とする氷冷飯用食器。
【考案の詳細な説明】
【技術分野】
【０００１】
本考案は、夏季に、炊きたて米飯を氷水により急冷し、炊きたて米飯の旨味を損う事無く冷涼感を味わい、食する為の専用の食器である。
【背景技術】
【０００２】
本考案によらない場合には食する際に食材と氷片が混在し、食する際には氷片が邪魔をする為、一度、別容器にて氷冷し、食する容器に移し替えをしなければならず、氷冷水ではあるが、氷を投入する事が出来ない為、冷たさが違う。
【先行技術文献】
【特許文献】
【０００３】
【特許文献１】実用新案登録第3149193号
【考案の概要】
【考案が解決しようとする課題】
【０００４】
本体椀部とメッシュ状内椀及び氷水投入用の開口を設けた蓋部とを一組とし氷冷した米飯を食す為の食器であり、本体椀部と蓋部との間に氷水を入れる空間を設け、氷を投入する為、氷の量が多い場合、或いは氷の形よっては蓋部が持上がり水平を保つ事が出来ない、又、食材のみを食する為には氷が邪魔をする為、氷と食材を隔絶する必要があり、又、本考案は水中の米飯を食する事を目的としており、穴明きスプーン状の物を使用し食するのが最上の方法である(体験上)食器である為、メッシュ状内椀もスプーンの形状との機能上の問題で半円形状断面(角張った形状では不適当)で、かつ、氷冷水が通る構造としなければならない。
【課題を解決するための手段】
【０００５】
氷水を収納する長方体の容器と、この容器の蓋部であり長辺方向面上の一方向に偏った位置にのメッシュ状内椀挿入用開口と、更に、他の方向には氷水投入口を設け、蓋部に取付ける為の鍔を備えた半円形状のお椀形底部を有するメッシュ状内椀を、前記、蓋部のメッシュ状内椀挿入用開口に挿入し、メッシュ状内椀を蓋部に固着した事を特徴とする氷冷飯用食器。本体椀部と蓋部とは簡易な固着構造(既に公知済みの特許外の物を採用)とする事によって本体椀部を覆う蓋部は水平を保つ事が出来、内椀をメッシュ状とする事で氷と米飯を隔絶する事が出来、メッシュ状椀内には他容器で造った氷冷水とは冷たさが違う氷冷水が直接流れ込み、炊きたての米飯を急冷する。メッシュ状内椀部は出来るだけ手前に配置し、食し易くする。更に、本食器のサイドには惣菜を置くスペースも確保しなければならず全体形としては長方体が最上である。
【考案の効果】
【０００６】
本考案は既に公知(登録実用新案第3085906号公報)の、物体を冷やす目的の物では無く、構造的にも機能的にも公知の物とは違う特殊な食器であり、技術評価（内容器に米飯を入れる事も、当業者が適宜行い得る事項である）、と、ありますが、どのような方法で米飯を食すのか考えも及びません。更に、その考案者は思い着かぬままなのか、或いは、本考案と同じものを発表しないだけなのかは不明のまま権利を喪失しており、私が考案し、広報等により公知されるまでは、何人も思いもつかなかった物と思われ、技術評価の、適宜行い得る事項、と言うのは、全く理解出来ません。氷冷飯は、従来の冷茶漬け等とは全く別な味(米飯のみの味)、さっぱり感、冷たさの違いを強調したい。本考案食器を使用する事で、夏季における食欲不振を解決する一手段となり得、労力を省き、氷水による味覚、更に視覚によっても冷涼感を味わいつつ米飯を食する事が出来、又、食する量を自由に調節出来る。（本考案によらない場合には、あらかじめ食する量を予想しなければならず、項目名：背景技術に記述の通り、作業が一行程増える為、余分な労力を要し、旨味を損う事も考えられ、更に、食す際には氷片が邪魔をする為、他容器で造った氷冷水のみを使用しなければならず、本考案に比べ冷たさが違う）炊きたて米飯とは別に冷飯を食す際にも冷飯をさらに氷水で冷やす為、冷涼感が増す。以上の理由等により、特殊な食器が登場する事によって米飯を食す機会が増え、我が国の米農家にとっては大変プラスになるものと考える。本食器を使用する事で水分の取り過ぎの心配はあるが、穴明きのスプーン状の物を使用する事で解決出来る。又、自身の考案であった平面上円形の物に比べ、本考案のメッシュ状内椀の周囲は蓋部で覆われる為、惣菜等をこぼした場合にも拾って食す事が出来、更に本構造とする事で食器全体を小型化する事が可能となり、又、平面上円形の氷水投入口（実用上、幅、約2.5ｃｍ程度しか確保出来ない）に比べ、本考案の角形の氷水投入口は蓋部の偏った位置に設け、幅、約4ｃｍ、長さ、約11ｃｍが確保出来た事により氷水を投入し易くなった。（平面上円形の場合、両サイドを曲線で囲まれた狭い部分に角型の氷と水を投入する事は容易ではない事が判明した。）更に、本考案の場合長辺22ｃｍ×短辺16ｃｍ＝352平方センチメートル、であり、平面上円形とした場合、長方形と同面積を確保する為には直径約２１ｃｍ以上必要となり、更に、内椀付き蓋部を取付ける為の突起等を加えると全直径が約23ｃｍとなり、全体形も円錐形の頂部を切り取った物をひっくり返した形である為、本考案と高さを同じとした場合、投入する氷水の量も本考案に比べ格段に少ない。又、平面上円形とした場合にはサイドに惣菜等を置く為のスペースを広く利用する事が出来ない。例え、円筒形としたとしても実用上、直径及び高さが大変に重要であり、氷水の収納量を増やす為には高さを高くするしか無く、実用上、非常に難がある事が判明した。しかし、本考案の場合は長方体の為、場合によっては更に縦長とし、サイドのスペースを広く使用する事が出来る。      
【図面の簡単な説明】
【０００７】
【図１】全体図である。
【図２】本体椀部図である。
【図３】蓋部図である。
【図４】メッシュ状内椀部図である。
【図５】断面箇所案内図である。
【図６】A-A断面図である。
【図７】B-B断面図である。
【図８】C-C断面図である。
【考案を実施するための形態】
【０００８】
全体を長方体とし、本体椀部と蓋部の２構成に分かれ蓋部にメッシュ状椀部と開口を設け本体椀部と蓋部は簡易な固着構造(既に公知済みの特許外の物を利用)をなし、本体椀部及び蓋部材質は金属製、プラスチック製,又は,硬質塩化ビニール製、又は、木製とし、メッシュ状内椀は金属製又はプラスチック製,又は,硬質塩化ビニール製とする。又、メッシュ状内椀取付用ビスは,金属製,又は、プラスチック製,又は,硬質塩化ビニール製とする。  
【実施例】
【０００９】
本体椀部及び蓋部共、前記材質で、厚みは２ミリメートル程度とし、全体は  長辺方向、約22センチメートル、短辺方向、約16センチメートル、高さ、約7センチメートル、メッシュ内椀は、直径、約11センチメートル、内法高さ、約5センチメートル、水平方向鍔、垂直方向鍔共、金属製又はプラスチック製、又は、硬質塩化ビニールとし、厚,約１ミリメートル、水平方向鍔幅、約８ミリメートル、垂直方向鍔高さ、約８ミリメートル、蓋部取付用ビスは、直径、約２ミリメートル、穴明蓋部及びメッシュ状内椀鍔部共約2.2ミリメートル程度、メッシュ状内椀の網目間隔縦横約1ミリメートル、メッシュ状内椀のメッシュの材質は金属製（径、約0.3ミリメートル）、又は、プラスチック製（径、約０．６ミリメートル）、又は、硬質塩化ビニール製(径、約０．６ミリメートル)とする。
【産業上の利用可能性】
【００１０】
近年、我が国では米の消費量が年々減って来ていると言われており、特に夏季には食欲不振に陥るのが一般的である為、夏季には更に米の消費量が減るものと考えられる。我が国の一地方では農作業の昼食時には水掛け米飯（氷冷飯では無い）を食する事が多いが、本食器により、より冷たい物を提供出来、更に国外においても日本食が非常に健康に良いとされており、本考案が製品化され、一般社会に流通するに至った場合には我が国の米の消費量も増え、国外においても日本食の新メニューとして登場する事も考えられる。又、我が国の首都にある某和風料理店でも夏季には氷冷飯が人気メニューの一つと言う事である（ＴＶ放映に依る）。体験上、夏季の飲酒後に食す氷冷飯は最高の味である。とは、本考案者の感想である。その為、飲食店等で利用の可能性、又,我が国の国民の一人々が一日にスプーン一杯のお米を食す事によって農業に与える影響は多大であると某大臣がTVで発言しており,  本食器が発売される事により米農家等その他、外食産業にも利用される可能性は十分にあるものと考える。
【符号の説明】
【００１１】
1    本体椀部                                                            
2           蓋部
2a   メッシュ状内椀挿入用開口
2b   氷水投入口
2c   蓋部ビス用穴
3           メッシュ状内椀
3ａ  メッシュ状内椀取付用鍔水平部
3ｂ  メッシュ状内椀取付用鍔垂直部
3ｃ  メッシュ状内椀ビス用穴
4           蓋部とメッシュ状内椀取付用鍔水平部との固定用のビス
5        
米飯
6        
氷水
【図１】
0003154795.tif 000003
【図２】
0003154795.tif 000004
【図３】
0003154795.tif 000005
【図４】
0003154795.tif 000006
【図５】
0003154795.tif 000007
【図６】
0003154795.tif 000008
【図７】
0003154795.tif 000009
【図８】
0003154795.tif 000010
【手続補正書】
【提出日】平成21年4月19日(2009.4.19)
【手続補正１】
【補正対象書類名】明細書
【補正対象項目名】０００２
【補正方法】変更
【補正の内容】
【０００２】本考案によらない場合には食する際に食材と氷片が混在し、食する際には氷片が邪魔をする為、一度、別容器にて氷冷し、食する容器に移し替えをしなければならず、氷冷水ではあるが、前記の理由で、氷を投入する事が出来ない為、冷たさが違う。又、実用新案登録第３１４９１９３号の考案はメッシュ内椀がむき出しの氷水に囲われ、なお且つ、ある程度の氷水を確保する為には、実用上、不適当な高さを必要とする為、非常に食べにくく、更に、時には、米飯及び、惣菜を氷水中に誤ってこぼす事も有り、実用上の問題があった。しかし、本考案は、椀本体部と蓋部で構成されており、氷水投入用開口とメッシュ状内椀以外は蓋状となり、氷水投入用開口は食す人間とメッシュ状内椀をはさんで反対方向にある為、食材をこぼすような事があっても安心して食す事が出来る様になった。
【手続補正２】
【補正対象書類名】明細書
【補正対象項目名】０００４
【補正方法】変更
【補正の内容】
【０００４】本体椀部とメッシュ状内椀及び氷水投入用の開口を設けた蓋部とを全体とし、氷冷した米飯を食す為の食器であり、本体椀部と蓋部との間に氷水を入れる空間を設け氷を投入する為、氷の量が多い場合、或いは氷の形よっては蓋部が持上がり水平を保つ事が出来ない。又、氷水投入用口を設け、蓋部を固定した後に氷水を投入する事も出来る構造にこだわったのは、氷水投入用開口を設けない構造とした場合には、おおよその量の氷を投入後に蓋部を固定する事になり、投入した氷が少ない場合には、その都度、蓋部を明け、氷を追加しなければならず、大変に不便である。更に氷水投入用開口は、氷水投入の目的の他、視覚（氷を開口面より盛り上げる）によっても冷涼感を味わう為の役目もあり、本考案では大変重要である。又、食する為には氷が邪魔をする為、氷と食材を隔絶する必要がある。更に、本考案は水中の米飯を食する事を目的としており、穴明きスプーン状の物を使用し食するのが最上の方法である（体験上）食器である為、メッシュ状内椀もスプーンの形状と合う半円形状断面（角張った形状では不適当）で、且つ、氷冷水が通る構造としなければならない。更に、本食器のサイドには、惣菜を置く為に、少しでも広いスペースを必要とし、その為に、食する人間が食器と対面して、横幅の寸法及び、高さも出来るだけ小寸法が望ましい。
【手続補正３】
【補正対象書類名】明細書
【補正対象項目名】０００６
【補正方法】変更
【補正の内容】
【０００６】氷冷飯は、従来の冷茶漬け等と比べ、米飯のみの味で、さっぱり感、冷たさの違いを強調したい。本考案食器を使用する事で、夏季における究極の食欲不振を解決する一手段となり得（体験上）、労力を省き、氷水による味覚、更に視覚によっても冷涼感を味わいつつ米飯を食する事が出来、又、食する量を自由に調節出来る。（本考案によらない場合にはあらかじめ食する量を予想しなければならず、項目名：背景技術に記述の通り、作業が一行程増える為、余分な労力を要し、旨味を損う事も考えられ、更に、食す際には氷片が邪魔をする為、他容器で造った氷冷水のみを使用しなければならず、本考案に比べ、冷たさが違う）炊きたて米飯とは別に冷飯を食す際にも冷飯をさらに氷水で冷やす為、冷涼感が増す。以上の理由等により、特殊な食器が登場する事によって米飯を食す機会が増え、我が国の米農家にとっては大変プラスになるものと考える。本食器を使用する事で水分の取り過ぎの心配はあるが、穴明きのスプーン状の物を使用する事で解決出来る。又、自身の考案であった平面上円形の物に比べ、本考案のメッシュ状内椀の周囲は蓋部で覆われる為、惣菜等をこぼした場合にも拾って食す事が出来、更に本構造とする事で横幅（平面状円形の直径に比べ）を小さく出来、平面状円形の氷水投入用開口（実用上、幅、約２．５ｃｍ程度しか確保出来ない）に比べ、本考案の角形の氷水投入口は蓋部の偏った位置に設け、幅、約４ｃｍ、長さ、約１１ｃｍが確保出来た事により氷を投入し易くなった。（平面上円形の場合、両サイドを曲線で囲まれた狭い部分に角型の氷を投入する事は容易ではない事が判明した。）更に、本考案の場合、長辺２２ｃｍ×短辺１６ｃｍ＝３５２ｃｍ２、であり、平面上円形とした場合、長方形と同面積を確保する為には直径約２１ｃｍ以上必要となり、更に、内椀付き蓋部を取付ける為の突起等を加えると全直径が約２３ｃｍとなり、全体形も円錐形の頂部を切り取った物をひっくり返した形である為、本考案と高さを同じとした場合、投入する氷水の量も本考案に比べ格段に少ない。又、平面上円形とした場合にはサイドに惣菜等を置く為のスペースを広く利用する事が出来ない。例え、円筒形とし、高さを長方体の物と同じとした場合でも氷冷水を収納する部分の体積は長方体の物と同じとはなるが、実用上、直径及び高さが大変に重要であり、直径を小さくし、氷水の収納量を確保する為には、高くするしか無く、全く実用的では無い。本考案の場合は長方体の為、場合によっては、多少ではあるが、更に横幅を狭くし、縦長にも出来、サイドのスペースを広く使用する事が出来る。又、本考案には持ち運び用の取手を取付ける計画もある。
【手続補正４】
【補正対象書類名】明細書
【補正対象項目名】０００８
【補正方法】変更
【補正の内容】
【０００８】全体を長方体とし、本体椀部と蓋部の２構成に分かれ蓋部にメッシュ状椀水投入用開口を設け本体椀部と蓋部は簡易な固着構造（既に公知済み特許外の物を利用）をなし、本体椀部及び蓋部材質は金属製、プラスチック製，又は，合成樹脂製、又は、木製とし、メッシュ状内椀は金属製（鍔垂直部とメッシュ内椀部は厚１ｍｍ程度のプレートで挟み込み、数箇所金属ビスで留める）又はプラスチック製，又は，合成樹脂製とする。又、メッシュ状内椀取付用ビスは，それぞれの材質に合わせる。鍔水平部及び鍔垂直部並びにメッシュ状内椀部は、金属製以外は一体構造で作成し、本体椀部及び蓋部を木製とした場合は、鍔部及びメッシュ状内椀部は前記による木製以外の材質で作成する。
【手続補正５】
【補正対象書類名】明細書
【補正対象項目名】０００９
【補正方法】変更
【補正の内容】
【０００９】本体椀部及び蓋部共、前記材質で、厚みは２ミリメートル程度とし、全体は  長辺方向、約２２センチメートル、短辺方向、約１６センチメートル、高さ、約７センチメートル、メッシュ内椀は、直径、約１１センチメートル、内法高さ、約５センチメートル、水平方向鍔、垂直方向鍔共、金属製又はプラスチック製、又は、合成樹脂製とし、厚，約１ミリメートル、水平方向鍔幅、約８ミリメートル、垂直方向鍔高さ、約８ミリメートル、蓋部取付用ビスは、直径、約２ミリメートル、穴明蓋部及びメッシュ状内椀鍔部共約２．２ミリメートル程度、メッシュ状内椀の網目間隔縦横約１ミリメートル、メッシュ状内椀のメッシュの材質は金属製（径、約０．３ミリメートル）、又は、プラスチック製（径、約０．６ミリメートル）、又は、合成樹脂製（径、約０．６ミリメートル）とする。メッシュ内椀部は金属製以外は、必要に応じ、厚さ１ミリメートル、幅５ミリメートル程度のものでメッシュ状内椀底面に沿って適宜補強（メッシュと一体構造）をする。